(57)【要約】      （修正有）【課題】脚周り開口部の周囲がヒラヒラせずに，スッキリとした見た目となる使い捨ておむつを提供する。【解決手段】使い捨ておむつの股下部３は，幅方向の左右の側縁４が，幅方向内側に向かって幅狭となるように湾曲又は屈折している。左右の側縁４に沿って，着用者の左右両脚を出すための脚周り開口部が画定される。股下部３を，幅方向にみて，左右両側の左右領域３ａと，左右領域３ａの間に位置する中央領域３ｂと，に区分した場合に，少なくとも左右領域３ａには，一又は複数の糸状の脚周り伸縮部材１１と，一又は複数の平状の脚周り伸縮部材１１の少なくとも一方が伸長状態で固定され，当該脚周り伸縮部材１１を含む幅のある領域である伸縮領域１１ａが形成される。股下部３の左右の側縁４は，伸縮領域１１ａの少なくとも一部と，脚周り開口部の少なくとも一部が重畳するように，湾曲又は屈折している。【選択図】図２
2014097262.tif 000002
【特許請求の範囲】
【請求項１】
着用者の腹部に接する前身頃（１），着用者の背部に接する後身頃（２），及び当該前身頃（１）と当該後身頃（２）の間に位置する股下部（３）に，長さ方向に区分され，
前記股下部（３）は，幅方向の左右の側縁（４）が，幅方向内側に向かって幅狭となるように湾曲又は屈折しており，
前記左右の側縁（４）に沿って，着用者の左右両脚を出すための脚周り開口部（５）が画定される
使い捨ておむつであって，
前記股下部（３）を，幅方向にみて，左右両側の左右領域（３ａ）と，当該左右領域（３ａ）の間に位置する中央領域（３ｂ）と，に区分した場合に，
少なくとも前記左右領域（３ａ）には，一又は複数の糸状の脚周り伸縮部材（１１）と，一又は複数の平状の脚周り伸縮部材（１１）の少なくとも一方が伸長状態で固定されることで，当該脚周り伸縮部材（１１）を含む幅のある領域である伸縮領域（１１ａ）が形成されており，
前記股下部（３）の前記左右の側縁（４）は，前記伸縮領域（１１ａ）の少なくとも一部と，前記脚周り開口部（５）の少なくとも一部が重畳するように，湾曲又は屈折している
使い捨ておむつ。
【請求項２】
前記股下部（３）の前記左右の側縁（４）は，
前記股下部（３）を形成する一又は複数のシート部材を，幅方向内側に向かって幅狭となるように湾曲又は屈折して切断することで，形成されており，
前記左右の側縁（４）を形成する切断を行うと同時に，前記伸縮領域（１１ａ）に含まれる少なくとも１つの前記脚周り伸縮部材（１１）が切断され，当該脚周り伸縮部材（１１）は分断されるか部分的にくり貫かれている
請求項１に記載の使い捨ておむつ。
【請求項３】
前記脚周り開口部（５）を形成する前記左右の側縁（４）の切断面と，前記伸縮領域（１１ａ）を形成する少なくとも１つの前記脚周り伸縮部材（１１）の切断面とが，一致している
請求項２に記載の使い捨ておむつ。
【請求項４】
前記脚周り伸縮部材（１１）は，一又は複数の平状の脚周り伸縮部材（１１）である
請求項３に記載の使い捨ておむつ。
【請求項５】
着用者の腹部に接する前身頃（１），着用者の背部に接する後身頃（２），及び当該前身頃（１）と当該後身頃（２）の間に位置する股下部（３）に，長さ方向に区分され，
前記股下部（３）は，幅方向の左右の側縁（４）が，幅方向内側に向かって幅狭となるように湾曲又は屈折しており，
前記左右の側縁（４）に沿って，着用者の左右両脚を出すための脚周り開口部（５）が画定される
使い捨ておむつの製造方法であって，
前記股下部（３）を形成する一又は複数のシート部材を，前記使い捨ておむつの幅方向にみて，左右両側の左右領域（３ａ）と，当該左右領域（３ａ）の間に位置する中央領域（３ｂ）と，に区分した場合に，
少なくとも前記左右領域（３ａ）に，複数の糸状の脚周り伸縮部材（１１）と，一又は複数の平状の脚周り伸縮部材（１１）の少なくとも一方を伸長状態で固定して，当該脚周り伸縮部材（１１）を含む幅のある領域である伸縮領域（１１ａ）が形成する工程と，
前記股下部（３）を形成する一又は複数のシート部材を，前記幅方向内側に向かって幅狭となるように湾曲又は屈折して切断すると同時に，前記伸縮領域（１１ａ）に含まれる少なくとも１つの前記脚周り伸縮部材（１１）を切断して，当該脚周り伸縮部材（１１）を分断するか部分的にくり貫く工程と，を含む
使い捨ておむつの製造方法。
【発明の詳細な説明】
【技術分野】
【０００１】
本発明は，着用者の股下に装着され，尿などの液体を吸収し保持するための使い捨ておむつ，及びその製造方法に関する。具体的に説明すると，本発明は，着用者の両脚部周りに形成される開口部の周縁に，ギャザーを形成するための弾性伸縮部材が配置された使い捨ておむつ，及びその製造方法に関するものである。
【背景技術】
【０００２】
従来から，着用者の両脚部周りに形成される開口部の周縁に，一又は複数の弾性伸縮部材が直線状或いは曲線状に配置された使い捨ておむつが知られている（特許文献１及び特許文献２等）。このように，着用者の両脚部周りに相当する位置に弾性伸縮部材を配置することで，着用者がおむつを装着した時にギャザーが形成されるため，両脚部周りのフィット性を高めることができる。
【０００３】
例えば，脚部周りにギャザーを有する使い捨ておむつを製造する方法を，一般的なパンツ型の使い捨ておむつを例に挙げて説明すると，まず，おむつの股下部を形成するシート部材に，一又は複数の弾性伸縮部材を，脚周りの形状に沿って曲線状に固定する。次に，弾性伸縮部材が固定されたシート部材を，脚周りの開口部の形状に沿って曲線状に切断する。この際には，弾性伸縮部材を切断しないように，弾性伸縮部材を避けて，シート部材が切断される。その後，おむつを構成する前身頃と後身頃の幅方向両側部（サイドシール部）を，それぞれ左右を対応させて接合することにより，シート部材の切断箇所に脚部周りの開口部が形成され，この開口部の周りに弾性伸縮部材が配置されたパンツ型の使い捨ておむつが形成される。
【０００４】
上記のようなパンツ型の使い捨ておむつを製造する場合，シート部材を脚周りの開口部の形状に合わせて切断を行う際，弾性伸縮部材を切断してしまわないように，シート部材の切断位置と，弾性伸縮部材の配置位置との間には，所定幅の余白部分が形成されている。このように，シート部材の切断位置と弾性伸縮部材の配置位置の間に余白部分を形成することで，製造装置の操業時に，資材の蛇行等の影響を受けて切断ブレが発生したとしても，脚周りの弾性伸縮部材が誤って切断されてないようになっている。
【先行技術文献】
【特許文献】
【０００５】
【特許文献１】特開２００７−１０５３０１号公報
【特許文献２】特開２００６−１３０１８９号公報
【発明の概要】
【発明が解決しようとする課題】
【０００６】
しかしながら，従来の使い捨ておむつのように，両脚部周りの開口部を形成する外縁と，脚周りのギャザーを形成する弾性伸縮部材の配置位置との間に，余白部分を設けると，弾性伸縮部材が収縮した際に，この余白部分がヒラヒラして，フリルの様な見た目となる。このように，着用者の脚周りの部位にヒラヒラした余白部分が存在すると，使い捨ておむつの装着の際に，この余白部分がおむつの内側に巻き込まれたりめくれたりする恐れがあり，脚部周りの開口部から尿漏れが発生し，着用感が低下するという問題があった。
【０００７】
また，使い捨ておむつの脚周り開口部の周縁に，ヒラヒラしたフリルの様な部分が存在することにより，所謂「紙おむつ」の印象が強くなってしまい，着用者が大人や高齢者である場合等に，使い捨ておむつを装着することに対する心理的な抵抗を誘発してしまう恐れがある。特に着用者が男性の場合には，脚周り開口部の周縁にフリルが付いていることで，使い捨ておむつを着用することに対する抵抗感が非常に強くなる恐れがあった。
【０００８】
このため，現在では，脚周り開口部の近傍に弾性伸縮部材を配置して，着用者の脚部周りに対するフィット性能を維持しつつも，着用時において，脚周り開口部の周囲がヒラヒラせずに，スッキリとした見た目となる使い捨ておむつが求められている。
【課題を解決するための手段】
【０００９】
そこで，本発明の発明者は，上記の従来発明の問題点を解決する手段について鋭意検討した結果，使い捨ておむつの股下部の幅方向左右の領域に，一又は複数の弾性伸縮部材を固定して幅のある伸縮領域を形成しつつ，この伸縮領域の少なくとも一部と，脚周り開口部の少なくとも一部が重畳するように，股下部の幅方向左右の側縁を湾曲又は屈折した形状とすることで，股下部の幅方向左右の側縁と，弾性伸縮部材が配置された伸縮領域の間に生じる余白部分が少なくなり，使い捨ておむつの脚周り開口部の周縁に，ヒラヒラしたフリルの様な部分が発生することを防止できるという知見を得た。そして，本発明者は，上記知見に基づけば，従来技術の課題を解決できることに想到し，本発明を完成させた。
具体的に説明すると，本発明は以下の構成を有する。
【００１０】
本発明の第１の側面は，使い捨ておむつに関する。
本発明の使い捨ておむつは，着用者の腹部に接する前身頃１，着用者の背部に接する後身頃２，及び当該前身頃１と当該後身頃２の間に位置する股下部３に，長さ方向に区分される。
また，股下部３は，幅方向の左右の側縁４が，幅方向内側に向かって幅狭となるように湾曲又は屈折している。
また，本発明の使い捨ておむつは，左右の側縁４に沿って，着用者の左右両脚を出すための脚周り開口部５が画定される。
ここで，股下部３を，幅方向にみて，左右両側の左右領域３ａと，左右領域３ａの間に位置する中央領域３ｂと，に区分したとする。
この場合に，少なくとも左右領域３ａには，一又は複数の糸状の脚周り伸縮部材１１と，一又は複数の平状の脚周り伸縮部材１１の少なくとも一方が伸長状態で固定されることで，当該脚周り伸縮部材１１を含む幅のある領域である伸縮領域１１ａが形成されている。
そして，股下部３の左右の側縁４は，伸縮領域１１ａの少なくとも一部と，脚周り開口部５の少なくとも一部が重畳するように，湾曲又は屈折している。
【００１１】
上記構成のように，伸縮領域１１ａの少なくとも一部と脚周り開口部５の少なくとも一部が重畳するように，股下部３の左右の側縁４を湾曲又は屈折させることで，脚周り開口部５を形成する股下部３の左右の側縁４と，脚周り伸縮部材１１が配置された伸縮領域１１ａの間に生じる余白部分が少なくなる。このようにして，余白部分をなくすことで，使い捨ておむつの脚周り開口部５の近傍に，シート部材がヒラヒラしたフリルの様な部分が生じるのを抑制できる。このため，このフリルの様な部分の自由端部がめくれたり，おむつの内側に折れ込んだりする事態を防止できる。従って，本発明によれば，脚周り開口部５から尿漏れが発生したり，着用感が低下する事態を防止できる。さらには，脚周り開口部５の近傍にフリルのような部分が形成されにくくなるため，見た目がスッキリし，所謂「紙おむつ」の印象が少なくなり，特に着用者が男性である場合であっても，使い捨ておむつを着用することに対する抵抗感を減らすことができる。
【００１２】
本発明の使い捨ておむつにおいて，股下部３の左右の側縁４は，少なくとも股下部３を形成する一又は複数のシート部材を，幅方向内側に向かって幅狭となるように湾曲又は屈折して切断することで，形成されていることが好ましい。そして，この場合に，左右の側縁４を形成する切断を行うと同時に，伸縮領域１１ａに含まれる少なくとも１つの脚周り伸縮部材１１が切断され，当該脚周り伸縮部材１１は分断されるか，部分的にくり貫かれていることが好ましい。
【００１３】
上記構成のように，股下部３の左右の側縁４を形成する切断を行うと同時に，伸縮領域１ａに含まれる少なくとも１つの脚周り伸縮部材１１が切断することで，股下部３の左右の側縁４と伸縮領域１１ａの間に余白部分の少ない使い捨ておむつとなる。従って，脚周り開口部５の近傍にフリルの様な部分が生じるのを抑制でき，尿漏れが防止され，着用感が向上し，見た目がスッキリした使い捨ておむつとなる。
【００１４】
本発明の使い捨ておむつにおいて，脚周り開口部５を形成する左右の側縁４の切断面と，伸縮領域１１ａを形成する少なくとも１つの脚周り伸縮部材１１の切断面とが，一致していることが好ましい。
【００１５】
上記構成のように，左右の側縁４の切断面と，脚周り伸縮部材１１の切断面を一致させることで，脚周り開口部５の近傍にフリルの様な部分が生じるのを抑制できる。左右の側縁４の切断面と脚周り伸縮部材１１の切断面を「一致している」とは，左右の側縁４の切断面と脚周り伸縮部材１１の切断面とが同時に視認できる程度に隣接して揃っていればよい。
【００１６】
本発明の使い捨ておむつにおいて，脚周り伸縮部材１１は，一又は複数の平状の脚周り伸縮部材１１であることが好ましい。
【００１７】
上記構成のように，脚周り伸縮部材として，一又は複数の幅のある平状の脚周り伸縮部材１１を採用することで，左右の側縁４の切断面に一致する脚周り伸縮部材１１の切断面の面積が広くなる。これにより，脚周り開口部５の周囲に，フリルの様な部分が生じることをより確実に防止できる。
【００１８】
本発明の第２の側面は，使い捨ておむつの製造方法に関するものである。本発明の製造方法によれば，基本的に，上記した第１の側面に係る使い捨ておむつを製造することができる。
すなわち，本発明の製造方法は，着用者の腹部に接する前身頃１，着用者の背部に接する後身頃２，及び当該前身頃１と当該後身頃２の間に位置する股下部３に，長さ方向に区分され，股下部３は，幅方向の左右の側縁４が，幅方向内側に向かって幅狭となるように湾曲又は屈折しており，左右の側縁４に沿って，着用者の左右両脚を出すための脚周り開口部５が画定される使い捨ておむつの製造方法に関する。
ここで，股下部３を形成する一又は複数のシート部材を，使い捨ておむつの幅方向にみて，左右両側の左右領域３ａと，当該左右領域３ａの間に位置する中央領域３ｂと，に区分したとする。
この場合に，本発明の製造方法では，まず，少なくとも左右領域３ａに，複数の糸状の脚周り伸縮部材１１と，一又は複数の平状の脚周り伸縮部材１１の少なくとも一方を伸長状態で固定して，当該脚周り伸縮部材１１を含む幅のある領域である伸縮領域１１ａが形成する工程を行う。
また，本発明の製造方法では，続いて，股下部３を形成する一又は複数のシート部材を，幅方向内側に向かって幅狭となるように湾曲又は屈折して切断すると同時に，伸縮領域１１ａに含まれる少なくとも１つの前記脚周り伸縮部材１１を切断して，当該脚周り伸縮部材１１を分断するか部分的にくり貫く工程を行う。
【００１９】
上記した製造工程に従って使い捨ておむつを製造することで，脚周り伸縮部材１１が配置された伸縮領域１１ａの間に生じる余白部分が少なくなる。このため，使い捨ておむつの脚周り開口部５の近傍に，シート部材がヒラヒラしたフリルの様な部分が生じるのを抑制できる。
【発明の効果】
【００２０】
本発明によれば，脚周り開口部の近傍に弾性伸縮部材を配置して，着用者の脚部周りに対するフィット性能を維持しつつも，着用時において，脚周り開口部の周囲がヒラヒラせずに，スッキリとした見た目となる使い捨ておむつを提供できる。
【図面の簡単な説明】
【００２１】
【図１】図１は，第１の実施形態に係る使い捨ておむつの外観を示した斜視図である。
【図２】図２は，第１の実施形態に係る使い捨ておむつを肌非当接面側から示した展開図である。
【図３】図３は，第１の実施形態に係る使い捨ておむつの製造方法の概要を示している。
【図４】図４は，第１の実施形態に係る使い捨ておむつの側面を示している。
【図５】図５は，第２の実施形態に係る使い捨ておむつの概要を示している。
【図６】図６は，第３の実施形態に係る使い捨ておむつの概要を示している。
【図７】図７は，第４の実施形態に係る使い捨ておむつの概要を示している。
【図８】図８は，第５の実施形態に係る使い捨ておむつの概要を示している。
【図９】図９は，使い捨ておむつの製造方法の流れを概略的に示している。
【発明を実施するための形態】
【００２２】
以下，図面を用いて本発明を実施するための形態について説明する。本発明は，以下に説明する形態に限定されるものではなく，以下の形態から当業者が自明な範囲で適宜修正したものも含む。
本願明細書において，「Ａ〜Ｂ」とは，「Ａ以上Ｂ以下」であることを意味する。
また，本願明細書において，「長さ方向」というときは，縦長に形成された使い捨ておむつの長さ方向であって，使い捨ておむつの前身頃と後身頃を結ぶ方向（図２の上下方向）を意味する。また，「幅方向」とは，縦長に形成された使い捨ておむつの幅方向であって，上記長さ方向に平面的に直交する方向（図２の左右方向）を意味する。
また，本願明細書において，「肌当接面側」とは，使い捨ておむつが組み上がった状態で，使い捨ておむつが着用者に装着された際に，着用者の肌に当接する面の方を意味する。また，「肌非当接面側」とは，使い捨ておむつが組み上がった状態で，使い捨ておむつが着用者に装着された際に，着用者の肌に当接しない面の方であり，「肌当接面側」の反対側の面を意味する。
【００２３】
（１．使い捨ておむつの第１の実施形態）
本発明は，着用者の両脚部に接する開口部の近傍に，脚周りギャザーが形成された使い捨ておむつに関する。本発明の構造は，例えば，公知のパンツ型の使い捨ておむつや，テープ型の使い捨ておむつ，尿パッド等の構造として，広く適用可能である。パンツ型の使い捨ておむつは，前身頃と後身頃の両側部が予め接合されたタイプの使い捨ておむつである。パンツ型の使い捨ておむつは，吸収性本体が載置される外装体が前身頃から後身頃に掛けて一体となった一体型のものであってもよいし，外装体が前身頃及び後身頃で分離され，前身頃外装体と後身頃外装体の間に股下部を構成する吸収性本体が架橋された架橋型のものであってもよい。また，テープ型の使い捨ておむつは，前身頃又は後身頃の両側部に接着テープが取り付けられ，着用時に接着テープを利用して前身頃と後身頃を接着させるタイプの使い捨ておむつである。また，尿パッドは，着用者の腹部から背部にあてがわれて使用されるものであり，前身頃と後身頃を連結する構造は有していないもの，尿などを吸収する吸収構造をもつ使い捨ておむつである。
以下では，これらの種々のタイプの使い捨ておむつのうち，外装体が前身頃から後身頃に掛けて一体となった一体型のパンツ型の使い捨ておむつを例に挙げて，本発明の内容を具体的に説明する。
【００２４】
図１は，使い捨ておむつ１００の第１の実施形態を，前身頃１側からみた状態の例を示す斜視図である。また，図２は，使い捨ておむつ１００の第１の実施形態を示す展開図であって，使い捨ておむつを肌非当接面側からみた状態を示している。図２の展開図に示されるように，使い捨ておむつ１００は，装着された際に，着用者の腹部に接する前身頃１と，着用者の背部に接する後身頃２と，着用者の股下にあてがわれる股下部３に区分される。図２に示されるように，使い捨ておむつ１００の股下部３は，長さ方向に見て，前身頃１と後身頃２の間に位置する領域である。
【００２５】
図１及び図２に示されるように，使い捨ておむつ１００は，前身頃１から股下部３を通り後身頃２にかけて形成された外装体１０と，この外装体１０の肌当接面側に股下部３を中心として固定された吸収性本体２０を有する。吸収性本体２０は，液透過性のトップシートと，液不透過性のバックシートと，両シートの間に介在する吸収体を備え，尿などの液体を吸収し保持することができるようになっている。外装体１０は，液吸収構造を持つ吸収性本体２０を，着用者の身体に装着させるための部材である。なお，図２の展開図は，使い捨ておむつ１００を肌非当接面側から見たものであるため，肌当接面側に位置する吸収性本体２０は，破線で示されている。
【００２６】
図２の展開図に示されるように，外装体１０は，股下部３において，装着時において着用者の両脚部が位置する部分がくり抜かれた形状となっている。本発明において，股下部３は，着用者の両脚部が位置する部分がくり抜かれ，幅方向内側に向かって幅狭となる部分の幅方向範囲の領域を意味している。このため，股下部３は，前身頃１及び後身頃２と比較し，幅狭となる。股下部３は，幅方向の左右両側に左右の側縁４を有しており，この左右の側縁４が，幅方向内側に向かって幅狭となるように湾曲又は屈折している。図１及び図２に示された第１の実施形態では，股下部３の左右の側縁４は，内側に向かって略弧状に湾曲したものとなっている。
【００２７】
外装体１０は，例えば，肌当接面側に位置するインナーシート１２と，肌非当接面側に位置するアウターシート１３を有する。インナーシート１２とアウターシート１３は別々のシート部材により構成することとしてもよいし，シート部材を折り返して形成し，肌当接面側に位置する部分をインナーシート１２とし，肌非当接面側に位置する部分をアウターシート１３としてもよい。外装体１０を構成するインナーシート１２とアウターシート１３の間には，種々の弾性伸縮部材を固定されている。このため，外装体１０は，弾性伸縮部材の伸縮に応じて，伸縮可能となっている。インナーシート１２とアウターシート１３の間に固定される弾性伸縮部材としては，後述する脚周り伸縮部材１１，腰周り伸縮部材１４，及び腹周り伸縮部材１５等が挙げられる。
【００２８】
図２に示された展開状態から，外装体１０における前身頃１の幅方向左右両側の端部に位置するサイドシール部１ａと，後身頃２の幅方向両端部の端部に位置するサイドシール部２ａとを，左右の位置を対応させて接合することにより，図１に示される状態に組み上がる。図１に示されるように，パンツ型の使い捨ておむつ１００は，前身頃１のサイドシール部１ａと後身頃２のサイドシール部２ａを接合することにより，前身頃１と後身頃２とが環状に繋がる。これにより，長さ方向における前身頃１の端縁１ｂと後身頃２の端縁２ｂに沿って，着用者の腰周りの位置に，腰周り開口部６が画定される。また，前身頃１と後身頃２のサイドシール部１ａ，２ａ同士が接合されることにより，股下部３の左右の側縁４に沿って，着用者の左右両脚を出すための脚周り開口部５が画定される。このため，着用者は，腰周り開口部６から両脚部を入れ，それぞれの脚部を脚周り開口部５から出すことで，パンツ型の使い捨ておむつ１００を装着することができる。
【００２９】
また，図２に示されるように，使い捨ておむつ１００は，幅方向にみて，左右両側に位置する左右領域３ａと，左右領域３ａの間に位置する中央領域３ｂとに区分できる。例えば，中央領域３ｂは，外装体１０と吸収性本体２０とが重なる領域の長さ方向範囲として定義すればよい。また，左右領域３ａは，吸収性本体２０が固定された位置の幅方向両側の領域の長さ方向範囲として定義すればよい。
【００３０】
図２に示されるように，使い捨ておむつ１００の股下部３には，少なくとも，幅方向の左右両側に位置する左右領域３ａに，複数の脚周り伸縮部材１１が伸長状態で固定されている。脚周り伸縮部材１１は，着用者が使い捨ておむつを装着したときに，脚周り開口部５の近傍のシートを収縮させて，脚周り開口部５の近傍にギャザーを形成するための部材である。脚周り伸縮部材１１は，外装体１０を構成するインナーシート１２とアウターシート１３の間に伸長状態で固定されている。図２に示された第１の実施形態において，複数の脚周り伸縮部材１１には，糸状の弾性伸縮部材が採用されている。第１の実施形態において，糸状の脚周り伸縮部材１１は，少なくとも，左右領域３ａに位置しており，幅方向内側寄りの一部分が中央領域３ｂにも位置している。第１の実施形態において，複数の糸状の脚周り伸縮部材１１は，幅方向の左右両側縁に向かって延びており，股下部３の中心から左右両側縁に向かうにつれて，徐々に前身頃１側又は後身頃側２へと近づくように曲線状に延びている。なお，糸状の弾性伸縮部材とは，その厚みと幅が略等しくなっている弾性伸縮部材である。例えば，弾性伸縮部材の厚みをＴとし，幅をＷとした場合に，糸状の弾性伸縮部材は，１／２Ｔ≦Ｗ＜３Ｔの関係を満たすものであることが好ましい。
【００３１】
なお，他の実施形態では，脚周り伸縮部材１１に，幅のある一又は複数の平状の弾性伸縮部材を採用することも可能である。また，他の実施形態では，脚周り伸縮部材１１が，左右領域３ａに位置するものに分断されておらず，左右領域３ａに位置する部分と，中央領域３ｂ位置する部分とが連続的に繋がっていることとしてもよい。
【００３２】
図２に示されるように，複数の糸状の脚周り伸縮部材１１は，その大部分が股下部３の左右領域３ａに位置し，その一部が前身頃１の左右領域３ａ及び後身頃２の左右領域３ａに位置しているものであってもよい。このように，複数の脚周り伸縮部材１１は，所定の間隔を置いて，股下部３の左右領域３ａを主として配置されている。すなわち，図２に示された例では，股下部３には，前身頃１寄りの左右の各所と，後身頃２寄りの左右の各所に，それぞれ５本ずつ脚周り伸縮部材１１が固定されており，この５本の脚周り伸縮部材１１は，それぞれ所定の間隔を置いて配置されている。
【００３３】
股下部３の左右領域３ａに配置する脚周り伸縮部材１１の数は，特に限定されるものではないが，本実施形態のように，脚周り伸縮部材１１として糸状の弾性伸縮部材を採用する場合，その数は，３〜１５本又は５本〜１０本であることが好ましい。また，各脚周り伸縮部材１１の間の間隔は，例えば，０．３ｍｍ〜３ｍｍ，０．５ｍｍ〜２ｍｍ，１ｍｍ〜１．５ｍｍとすればよい。
【００３４】
図２に示されるように，本実施形態では，股下部３において，前身頃１寄りの左右の各所と，後身頃２寄りの左右の各所に，それぞれ所定本数ずつの脚周り伸縮部材１１が，間隔を置いて固定されていることで，それぞれの各所に，複数の脚周り伸縮部材１１を含む幅のある領域である伸縮領域１１ａが形成されている。伸縮領域１１ａは，脚周り伸縮部材１１が配置されることで伸縮可能となった領域であり，１つの群を形成する複数の脚周り伸縮部材１１のうち，群の一端に位置する脚周り伸縮部材１１から，群の他端に位置する脚周り伸縮部材１１までの範囲を意味している。図２に示されるように，第１の実施形態において，伸縮領域１１ａは，股下部３の左右領域３ａに曲線状に配置された複数の脚周り伸縮部材１１を含むことで帯状に形成されており，脚周り伸縮部材１１が形成する曲線に合わせて蛇行している。
【００３５】
本発明の使い捨ておむつ１００において，図１や図２に示されるように，股下部３の左右の側縁４は，伸縮領域１１ａの少なくとも一部と，脚周り開口部５の少なくとも一部が重畳するように，湾曲（又は屈折）している。すなわち，図２に示された実施形態において，ある伸縮領域１１ａに含まれる複数の脚周り伸縮部材１１は，第１類１１ｂと，第２類１１ｃとに分類できる。脚周り伸縮部材１１の第１類１１ｂは，脚周り伸縮部材１１の伸縮方向の一端（幅方向外側）が，股下部３の左右の側縁４に到達して途切れているものである。これに対し，脚周り伸縮部材１１の第２類１１ｃは，脚周り伸縮部材１１の伸縮方向の一端（幅方向外側）が，前身頃１のサイドシール部１ａ又は後身頃２のサイドシール部２ａに到達して途切れているものである。このように，本発明では，本実施形態のように，脚周り伸縮部材１１として複数の糸状の弾性伸縮部材が用いられる場合，伸縮領域１１ａに含まれる複数の脚周り伸縮部材１１のうち，少なくとも１つ以上が，股下部３の左右の側縁４に到達して途切れているもの（第１類１１ｂ）となる。例えば，上記第１類１１ｂとなる脚周り伸縮部材１１は，少なくとも１本であり，２本以上であることが好ましく，３本〜６本，４本又は５本であってもよい。特に，第１類１１ｂとなる脚周り伸縮部材１１は，３本〜６本であることが好ましい。
【００３６】
上記構成のように，伸縮領域１１ａの少なくとも一部と脚周り開口部５の少なくとも一部が重畳するように，股下部３の左右の側縁４を湾曲（又は屈折）させることで，脚周り開口部５を形成する股下部３の左右の側縁４と，脚周り伸縮部材１１が配置された伸縮領域１１ａの間に生じる余白部分が少なくなる。このようにして，余白部分をなくすことで，使い捨ておむつの脚周り開口部５の近傍に，シート部材がヒラヒラしたフリルの様な部分が生じるのを抑制できる。このため，このフリルの様な部分の自由端部がめくれたり，おむつの内側に折れ込んだりする事態を防止できる。従って，本発明によれば，脚周り開口部５から尿漏れが発生したり，着用感が低下する事態を防止できる。さらには，脚周り開口部５の近傍にフリルのような部分が形成されにくくなるため，見た目がスッキリし，所謂「紙おむつ」の印象が少なくなり，特に着用者が男性である場合であっても，使い捨ておむつを着用することに対する抵抗感を減らすことができる。
【００３７】
また，図１及び図２に示されるように，本発明の第１の実施形態において，各伸縮領域１１ａを形成する複数の脚周り伸縮部材１１には，その伸縮方向の一端が，股下部３の左右の側縁４に到達して途切れたもの（第１類１１ｂ）と，前身頃１のサイドシール部１ａ又は後身頃２のサイドシール部２ａに到達して途切れたもの（第２類１１ｃ）の両方が含まれていることが好ましい。このようにすることで，図１及び図２に示されるように，股下部３の左右の側縁４の前身頃１側近傍の部分と，股下部３の左右の側縁４の後身頃２側近傍の部分に，ヒラヒラしたフリルを形成する余白部分が少なくなる。股下部３の左右の側縁４の前身頃１側近傍の部分と，後身頃２側近傍の部分は，特にフリルが形成され易く，しかもフリルが形成された場合に最も目立つ部分であるため，この部分において余白部分をなくすことで，本発明の効果が特に効果的に発揮される。
【００３８】
また，複数の脚周り伸縮部材１１のうちの少なくとも１つを，股下部３の左右の側縁４に到達して途切れているもの（第１類１１ｂ）とし，脚周り開口部５の近傍にヒラヒラしたフリルの様な部分が生じるのを抑制するために，脚周り伸縮部材１１は，外装体１０に対して，連続的に固定されていることが好ましい。連続的に固定とは，脚周り伸縮部材１１の伸縮方向の一端部から他端部までが全体的に，外装体１０に固定されていることを意味する。例えば，脚周り伸縮部材１１の全体に，ホットメルト接着剤等を塗布して，インナーシート１２とアウターシート１３の間に配置することで，脚周り伸縮部材１１を，外装体１０に連続的に固定できる。
【００３９】
続いて，図３を参照して，上記構成の脚周り伸縮部材１１を形成する方法の概要を説明する。図３は，使い捨ておむつの展開図を簡略的に描画したものであり，おむつの股下部３に湾曲した左右の側縁４が形成される前の状態（ａ）と，おむつの股下部３に湾曲した左右の側縁４が形成された後の状態（ｂ）と，をそれぞれ示している。
【００４０】
まず，図３（ａ）に示されるように，使い捨ておむつ１００の外装体１０を構成するシート部材に対し，おむつの股下部３の左右領域３ａを含む位置に，伸長状態の脚周り伸縮部材１１を，それぞれ複数本ずつ固定する。このように複数本の脚周り伸縮部材１１を所定間隔で配置することで，伸縮領域１１ａが形成される。なお，本実施形態では，股下部３の中央領域３ｂで，脚周り伸縮部材１１が途切れている。このようにするためには，おむつの幅方向全領域に亘って繋がった脚周り伸縮部材１１を配置した後，股下部３の中央領域３ｂで，当該脚周り伸縮部材１１を切断することとしてもよいし，予め別々にされた脚周り伸縮部材１１を，股下部３の左右領域３ａにそれぞれ配置することとしてもよい。
【００４１】
その後，図３（ｂ）に示されるように，使い捨ておむつ１００の外装体１０を，股下部３の幅方向左右両側の部位において切り落とす。すなわち，外装体１０の股下部３を形成する部分を，幅方向内側に向かって幅狭となるように，湾曲した略弧状に切断する。これにより，股下部３の幅方向両側に，略弧状に湾曲した左右の側縁４が形成される。そして，この左右の側縁４を形成するための切断を行うと同時に，伸縮領域１１ａに含まれる少なくとも１つの脚周り伸縮部材１１を切断する。このようにして，左右の側縁４を形成するための切断と同時に切断された脚周り伸縮部材１１は，股下部３の左右の側縁４に到達して途切れているものとなり，本願明細書では，第１類１１ｂと称されるものとなる。他方，左右の側縁４を形成するための切断によっては切断されなかった脚周り伸縮部材１１は，前身頃１のサイドシール部１ａ又は後身頃２のサイドシール部２ａに到達して途切れているものとなり，本願明細書では，第２類１１ｃと称されるものとなる。このように，使い捨ておむつ１００の脚周りには，脚周り伸縮部材１１が配置されて幅のある伸縮領域１１ａが形成され，その伸縮領域１１ａの一部を跨ぐように，脚周り開口部５を形成するための略弧状に湾曲した左右の側縁４が形成される。
【００４２】
また，図４は，使い捨ておむつ１００の側面図を概念的に描画したものである。図３（ａ）（ｂ）に示した方法に従って，股下部３に左右の側縁４を形成するための切断を行うと同時に，伸縮領域１１ａに含まれる少なくとも１つの脚周り伸縮部材１１を切断する。これにより，図４に示されるように，左右の側縁４の切断面４´と，脚周り伸縮部材１１の切断面１１´とが一致する。本発明の第１の実施形態に係る使い捨ておむつ１００は，側面から脚周り開口部５の周縁を見たときに，股下部３に左右の側縁４の切断面４´と共に，少なくとも１つの脚周り伸縮部材１１の切断面１１´が視認可能であることが好ましい。このように，使い捨ておむつの側面から，脚周り伸縮部材１１の切断面１１´が視認できるということは，左右の側縁４と脚周り伸縮部材１１の間に余白部分が形成されずに，左右の側縁４まで脚周り伸縮部材１１が達しているということとなる。
【００４３】
その他，図１から図３に示されるように，外装体１０を構成するインナーシート１２とアウターシート１３の間には，複数の腰周り伸縮部材１４と，複数の腹周り伸縮部材１５とを，幅方向に沿った伸長状態で固定することが好ましい。複数の腰周り伸縮部材１４は，前身頃１の長さ方向の端縁１ｂと，後身頃２の長さ方向の端縁２ｂの近傍に配置されている。複数の腰周り伸縮部材１４が，インナーシート１２とアウターシート１３の間に固定された状態で収縮することで，腰周り開口部６近傍にギャザーが形成される。また，インナーシート１２とアウターシート１３の間には，複数の腰周り伸縮部材１４よりもおむつの股下部３寄りの位置に，複数の腹周り伸縮部材１５が伸長状態で固定されている。複数の腹周り伸縮部材１５は，おむつの幅方向に沿って伸長状態で固定されており，この複数の腹周り伸縮部材１５が収縮することにより，前身頃１と後身頃２の腹周りの部位にギャザーが形成される。また，インナーシート１２とアウターシート１３の間に配置する腰周り伸縮部材１４と腹周り伸縮部材１５の本数は，それぞれ適宜用途に応じて調節することができる。例えば，これら弾性伸縮部材の数は，４本〜２０本，８本〜１６本，又は１０本〜１４本とすればよい。
【００４４】
上記した脚周り伸縮部材１１，腰周り伸縮部材１４，及び腹周り伸縮部材１５の素材は，適宜公知のものを用いればよい。例えば，これらの弾性伸縮部材には，糸状弾性ゴム又は平状弾性ゴムを適用することができる。このようなゴム部材としては，スチレン系ゴム，オレフィン系ゴム，ウレタン系ゴム，エステル系ゴム，ポリウレタン，ポリエチレン，ポリスチレン，スチレンブタジエン，シリコーン，又はポリエステル等の素材を用いることができる。また，各弾性伸縮部材には，例えば熱可塑性エラストマー，プラスチックシート，ウレタンフィルム，ウレタンフォーム，又はゴムシート等の伸縮性を有する公知の部材を用いることもできる。
【００４５】
また，外装体１０を構成し，上記各種弾性伸縮部材を挟持するインナーシート１２とアウターシート１３としては，例えば，ポリエチレン，ポリプロピレン，又はポリエステルのような熱可塑性樹脂からなる不織布又は湿式不織布を用いればよい。
【００４６】
上記外装体１０の肌当接面側に固定される吸収性本体２０は，液透過性のトップシートと，液不透過性のバックシートと，両シートの間に介在する吸収体を含む公知の構造を採用すればよい。吸収体は，尿などの液体を吸収し保持するための機能を有する。例えば，吸収体は，着用者の尿や体液を吸収し保持するための吸収性材料を，ティシュ等のコアラップシートによって肌当接面側及び肌非当接面側から被覆することによって構成されている。吸収性材料としては，例えば，フラッフパルプ及び高吸水性ポリマー（Super Absorbent Polymer；「ＳＡＰ」）を混合してマット状にしたものを採用できる。フラッフパルプの例は，木材パルプや非木材パルプを綿状に解繊したものである。高吸水性ポリマーの例は，ポリアクリル酸ナトリウムである。また，コアラップシートは，親水性シートで構成されている。親水性シートとしては，例えば，ティシュ，吸収紙，又は親水化処理を行った不織布を用いることができる。この吸収体は，肌当接面側から液透過性のトップシートによって被覆され，肌非当接面側から液不透過性のバックシートによって被覆されている。従って，尿などの液体は，トップシート１を透過して，吸収体に吸収保持され，バックシートによって外部への漏出が阻止される。トップシートを構成する液透過性材料として，例えば，織布，不織布，多孔性フィルを採用することができる。特に，液透過性材料としては，ポリプロピレン，ポリエチレン，ポリエステル，ナイロンのような熱可塑性樹脂からなる不織布に親水化処理を施したものを用いることが好ましい。また，バックシートを構成する液不透過性材料としては，例えば，ポリエチレン等の樹脂からなる液不透過性フィルム等を採用することができる。特に，液不透過性材料としては，微多孔性ポリエチレンフィルムを用いることが好ましい。
【００４７】
また，その他，外装体１０において，吸収体の幅方向の両側には，左右一対のサイドシートを配設することとしてもよい。サイドシートは，疎水性を有しながらも通気性の高い材料によって形成されていることが好ましい。また，サイドシートの一端をトップシートの表面上に固定し，その他端側に立体ギャザー伸縮部材を伸長状態で固定することにより，立体ギャザーが形成される。この立体ギャザーは，立体ギャザー伸縮部材が収縮すると，その収縮力を利用して，着用者の肌に当接する方向に向かって起立する。起立した立体ギャザーは，トップシートの左右側方から液体が漏洩することを防止するための防漏壁として機能する。
【００４８】
（２．使い捨ておむつの第２の実施形態）
続いて，図５を参照して，本発明の第２の実施形態について説明する。図５は，第１の実施形態の説明で用いた図３と同様に，使い捨ておむつの展開図を簡略的に描画したものであり，おむつの股下部３に湾曲した左右の側縁４が形成される前の状態（ａ）と，おむつの股下部３に湾曲した左右の側縁４が形成された後の状態（ｂ）と，をそれぞれ示している。第２の実施形態について，上述した第１の実施形態と同様の構成については説明を省略し，第１の実施形態と異なる点を中心に説明を行う。なお，第２の実施形態について，第１の実施形態と同一の要素については，同一の符号を付して示している。
【００４９】
図５に示されるように，本発明の第２の実施形態では，脚周り伸縮部材１１として，平状の弾性伸縮部材が採用されている。平状の弾性伸縮部材とは，その厚みに対して幅が広くなっている弾性伸縮部材である。例えば，弾性伸縮部材の厚みをＴとし，幅をＷとし，長さをＬとした場合に，平状の弾性伸縮部材の幅Ｗは，３Ｔ≦Ｗ≦１／２Ｌの関係を満たすものであることが好ましい。図５（ａ）に示されるように，使い捨ておむつ１００の外装体１０を構成するシート部材に対し，おむつの股下部３の左右領域３ａを含む位置に，平状の脚周り伸縮部材１１が，伸長状態でそれぞれ複数本ずつ固定されている。本実施形態では，平状の脚周り伸縮部材１１の伸縮方向が，使い捨ておむつの長手方向と一致するように配置されている。また，平状の脚周り伸縮部材１１は，使い捨ておむつの左右領域３ａにおいて，股下部３から前身頃１及び後身頃２に延びて配置されている。さらに，図５（ａ）に示されるように，脚周り開口部を形成する切断を行う前の状態において，平状の脚周り伸縮部材１１は，外装体１０を構成するシート部材の幅方向左右両側において，幅方向の外縁に沿った位置に一本ずつ設けられるとともに，その内側にも一本ずつ設けられている。このように複数の平状の脚周り伸縮部材１１を所定間隔で配置することで，伸縮領域１１ａが形成される。なお，脚周り伸縮部材１１として平状の弾性伸縮部材を採用する場合，平状の脚周り伸縮部材１１は，左右領域３ａに一本ずつ設けられる場合であっても，その幅によって，伸縮領域１１ａを形成することができる。このため，本実施形態では，平状の脚周り伸縮部材１１を左右領域３ａに二本ずつ配置しているが，他の実施形態では，平状の脚周り伸縮部材１１は左右領域３ａに一本ずつ設けられていてもよい。
【００５０】
その後，図５（ｂ）に示されるように，使い捨ておむつ１００の外装体１０を，股下部３の幅方向左右両側の部位において切り落とす。すなわち，外装体１０の股下部３を形成する部分を，幅方向内側に向かって幅狭となるように，湾曲した略弧状に切断する。これにより，股下部３の幅方向両側に，略弧状に湾曲した左右の側縁４が形成される。そして，この左右の側縁４を形成するための切断を行うと同時に，伸縮領域１１ａに含まれる少なくとも１つの平状の脚周り伸縮部材１１を切断する。図５（ｂ）に示されるように，複数の平状の脚周り伸縮部材１１には，左右の側縁４を形成するための切断によって，分断された脚周り伸縮部材１１ｄが含まれていても良いし，その一部がくり貫かれた脚周り伸縮部材１１ｅが含まれていても良い。特に，図５（ｂ）に示されるように，複数の平状の脚周り伸縮部材１１には，左右の側縁４を形成するための切断によって，分断された脚周り伸縮部材１１ｄと，その一部がくり貫かれた脚周り伸縮部材１１ｅの両方が含まれていることが好ましい。このようにすることで，略弧状に湾曲した左右の側縁４の切断面と，平状の脚周り伸縮部材１１の切断面が一致する領域が拡大する。このように，広い領域で，左右の側縁４の切断面と平状の脚周り伸縮部材１１の切断面とを一致させることで，左右の側縁４と脚周り伸縮部材１１の間の余白部分が少なくなるため，脚周り開口部５の周囲にヒラヒラしたフリルの様な部分が形成されるのを，より効果的に抑制できる。例えば，左右の側縁４の切断面と，平状の脚周り伸縮部材１１の切断面が一致する領域を拡大させるためには，より幅の広い平状の脚周り伸縮部材１１を採用すればよい。本実施形態において，弾性伸縮部材の厚みをＴとし，幅をＷとし，長さをＬとした場合に，平状の脚周り伸縮部材１１の幅Ｗは，５Ｔ≦Ｗ≦１／２Ｌの関係を満たすことが好ましく，また，１０Ｔ≦Ｗ≦１／２Ｌの関係を満たすことがより好ましい。
【００５１】
（３．使い捨ておむつの第３の実施形態）
次に，図６を参照して，本発明の第３の実施形態について説明する。図６は，第１の実施形態の説明で用いた図３と同様に，使い捨ておむつの展開図を簡略的に描画したものである。第３の実施形態について，上述した第１の実施形態と同様の構成については説明を省略し，第１の実施形態と異なる点を中心に説明を行う。
【００５２】
図６に示されるように，本発明の第３の実施形態では，脚周り伸縮部材１１として，幅方向内側に向かって屈折した形状の平状の弾性伸縮部材が採用されている。図６（ａ）に示されるように，使い捨ておむつ１００の外装体１０を構成するシート部材に対し，おむつの股下部３の左右領域３ａを含む位置に，平状の脚周り伸縮部材１１が，伸長状態でそれぞれ複数本ずつ固定されている。本実施形態では，股下部３において，平状の脚周り伸縮部材１１の伸縮方向が，使い捨ておむつの長手方向と一致する。また，平状の脚周り伸縮部材１１は，使い捨ておむつの左右領域３ａにおいて，股下部３から前身頃１及び後身頃２に延びて配置されている。平状の脚周り伸縮部材１１は，前身頃１又は後身頃２に位置する部分が，幅方向外側に向かって屈折するように傾斜した部分と，当該傾斜した部分に繋がって使い捨ておむつの長手方向と一致する方向に延びる部分とを含む。このように，平状の脚周り伸縮部材１１は，使い捨ておむつの長手方向と平行でない部分を含んでいてもよい。また，図６（ａ）に示されるように，脚周り開口部を形成する切断を行う前の状態において，屈折した平状の脚周り伸縮部材１１は，外装体１０を構成するシート部材の幅方向の左右領域３ａに三本ずつ設けられている。複数の平状の脚周り伸縮部材１１を所定間隔で配置することで，伸縮領域１１ａが形成される。
【００５３】
その後，図６（ｂ）に示されるように，使い捨ておむつ１００の外装体１０を，股下部３の幅方向左右両側の部位において切り落とす。本実施形態では，外装体１０の股下部３を形成する部分を，幅方向内側に向かって幅狭となるように，屈折した略コの字状（又は略逆コの字状）に切断している。これにより，股下部３の幅方向両側に，屈折した左右の側縁４が形成される。そして，この左右の側縁４を形成するための切断を行うと同時に，伸縮領域１１ａに含まれる少なくとも１つの平状の脚周り伸縮部材１１を切断する。図６（ｂ）に示されるように，複数の平状の脚周り伸縮部材１１には，左右の側縁４を形成するための切断によって，分断された脚周り伸縮部材１１ｄが含まれていても良いし，その一部がくり貫かれた脚周り伸縮部材１１ｅが含まれていても良い。このようにすることで，屈折した左右の側縁４の切断面と，平状の脚周り伸縮部材１１の切断面が一致する領域が拡大する。広い領域で，左右の側縁４の切断面と平状の脚周り伸縮部材１１の切断面とを一致させることで，左右の側縁４と脚周り伸縮部材１１の間の余白部分が少なくなるため，脚周り開口部５の周囲にヒラヒラしたフリルの様な部分が形成されるのを，より効果的に抑制できる。
【００５４】
（４．使い捨ておむつの第４の実施形態）
次に，図７を参照して，本発明の第４の実施形態について説明する。図７は，第１の実施形態の説明で用いた図３と同様に，使い捨ておむつの展開図を簡略的に描画したものである。第４の実施形態について，上述した第１の実施形態と同様の構成については説明を省略し，第１の実施形態と異なる点を中心に説明を行う。
【００５５】
図７に示されるように，本発明の第４の実施形態では，脚周り伸縮部材１１として，複数の糸状の弾性伸縮部材が採用しており，複数の脚周り伸縮部材１１には，おむつ長さ方向の両端において幅方向の外側に向かって傾斜した部分を含む屈折した脚周り伸縮部材１１ｆと，全体が長さ方向と一致する方向に延びて固定された直線状の脚周り伸縮部材１１ｇの２種が含まれている。図７（ａ）に示されるように，使い捨ておむつ１００の外装体１０を構成するシート部材に対し，おむつの股下部３の左右領域３ａを含む位置に，糸状の脚周り伸縮部材１１が，伸長状態でそれぞれ複数本ずつ固定されている。また，糸状の脚周り伸縮部材１１は，使い捨ておむつの左右領域３ａにおいて，股下部３から前身頃１及び後身頃２に延びて配置されている。複数の糸状の脚周り伸縮部材１１のうち，幅方向の左右外側に位置する数本の脚周り伸縮部材１１ｆは，屈折しており，股下部３において長さ方向と一致する方向に延在する部分と，前身頃１又は後身頃において幅方向外側に向かって屈折するように傾斜した部分とを含んでいる。また，このように屈折した脚周り伸縮部材１１ｆよりも幅方向内側には，全体が長さ方向と一致する方向に延在した直線状の脚周り伸縮部材１１ｇが位置している。本実施形態では，左右領域３ａのそれぞれに，屈折した脚周り伸縮部材１１ｆが４本配置され，直線状の脚周り伸縮部材１１ｇが２本配置されている。このように，複数の脚周り伸縮部材１１は，異なる方向に延在する部分を含んでいてもよい。複数の糸状の脚周り伸縮部材１１を所定間隔で配置することで，伸縮領域１１ａが形成される。
【００５６】
その後，図７（ｂ）に示されるように，使い捨ておむつ１００の外装体１０を，股下部３の幅方向左右両側の部位において切り落とす。本実施形態では，外装体１０の股下部３を形成する部分を，幅方向内側に向かって幅狭となるように，湾曲した略弧状に切断している。これにより，股下部３の幅方向両側に，湾曲した左右の側縁４が形成される。そして，この左右の側縁４を形成するための切断を行うと同時に，伸縮領域１１ａに含まれる少なくとも１つの糸状の脚周り伸縮部材１１を切断する。図７（ｂ）に示されるように，複数の糸状の脚周り伸縮部材１１のうち，幅方向の左右外側に位置している複数の屈折した脚周り伸縮部材１１ｆ，左右の側縁４を形成するための切断を行うと同時に切断されている。また，屈折した脚周り伸縮部材１１ｆのうち，左右の側縁４を形成するための切断を行うと同時に切断された部分は，股下部３において長さ方向と一致する方向に延在する部分であり，前身頃１又は後身頃において幅方向外側に向かって屈折するように傾斜した部分は，切断されずに，左右の側縁４の周囲に沿って延在している。このように，左右の側縁４の切断面と糸状の脚周り伸縮部材１１の切断面とを一致させつつ，左右の側縁４の周囲を囲うように，脚周り伸縮部材１１を配置することで，左右の側縁４と脚周り伸縮部材１１の間の余白部分が少なくなるため，脚周り開口部の周囲にヒラヒラしたフリルの様な部分が形成されるのを，効果的に抑制できる。
【００５７】
（５．使い捨ておむつの第５の実施形態）
次に，図８を参照して，本発明の第５の実施形態について説明する。図８は，第１の実施形態の説明で用いた図３と同様に，使い捨ておむつの展開図を簡略的に描画したものである。第５の実施形態について，上述した第１の実施形態と同様の構成については説明を省略し，第１の実施形態と異なる点を中心に説明を行う。
【００５８】
図８に示されるように，本発明の第５の実施形態では，脚周り伸縮部材１１として，複数の糸状の弾性伸縮部材が採用しており，糸状の脚周り伸縮部材１１のそれぞれが，おむつの長さ方向にループが連続する形状となって固定されている。図８（ａ）に示されるように，使い捨ておむつ１００の外装体１０を構成するシート部材に対し，おむつの股下部３の左右領域３ａを含む位置に，糸状の脚周り伸縮部材１１が，伸長状態でそれぞれ複数本ずつ固定されている。また，糸状の脚周り伸縮部材１１は，使い捨ておむつの左右領域３ａにおいて，股下部３から前身頃１及び後身頃２に延びて配置されている。糸状の脚周り伸縮部材１１のそれぞれは，おむつの長さ方向にループが連続するように巻いた状態とされて，シート部材に固定されている。また，ループを形成している脚周り伸縮部材１１のそれぞれは，幅方向内側に向かって膨出するように緩やかな円弧状をなしている。このように，複数の糸状の脚周り伸縮部材１１を所定間隔で配置することで，伸縮領域１１ａが形成される。また，股下部３の左右領域３ａに配置される糸状の脚周り伸縮部材１１が一本であっても，本実施形態のように，おむつの長さ方向にループが連続する形状とすることにより，所定の幅を有する伸縮領域１１ａを形成することが可能である。
【００５９】
その後，図８（ｂ）に示されるように，使い捨ておむつ１００の外装体１０を，股下部３の幅方向左右両側の部位において切り落とす。本実施形態では，外装体１０の股下部３を形成する部分を，幅方向内側に向かって幅狭となるように，湾曲した略弧状に切断している。これにより，股下部３の幅方向両側に，湾曲した左右の側縁４が形成される。そして，この左右の側縁４を形成するための切断を行うと同時に，伸縮領域１１ａに含まれる少なくとも１つの糸状の脚周り伸縮部材１１が切断される。図７（ｂ）に示されるように，左右領域３ａのそれぞれに，ループが連続した形状で固定された３本の糸状の脚周り伸縮部材１１には，幅方向外側から順に，左右の側縁４を形成するための切断によって分断された脚周り伸縮部材１１ｄと，その一部がくり貫かれた脚周り伸縮部材１１ｅと，切断されていない脚周り伸縮部材１１が含まれる。このように，複数の糸状の脚周り伸縮部材１１には，左右の側縁４を形成するための切断によって，分断された脚周り伸縮部材１１ｄと，その一部がくり貫かれた脚周り伸縮部材１１ｅと，切断されていない脚周り伸縮部材１１が含まれていることが好ましい。このようにすることで，湾曲した左右の側縁４の切断面と，糸状の脚周り伸縮部材１１の切断面が一致する領域が拡大し，左右の側縁４と脚周り伸縮部材１１の間の余白部分が少なくなるため，脚周り開口部の周囲にヒラヒラしたフリルの様な部分が形成されるのを，より効果的に抑制できる。
【００６０】
（６．使い捨ておむつの製造方法）
続いて，上記した使い捨ておむつの製造方法について説明する。ここでは，特に，上記した第１の実施形態に係る使い捨ておむつの製造方法を説明する。
本発明の製造方法は，公知のパンツ型の使い捨ておむつや，テープ型の使い捨ておむつの製造方法に広く適用可能である。以下では，これらの種々のタイプの使い捨ておむつのうち，外装体が前身頃から後身頃に掛けて一体となった一体型のパンツ型の使い捨ておむつを例に挙げて，その製造方法を説明する。
なお，以下では，例えば「原脚周り伸縮部材」等といった表現を使用するが，この「原脚周り伸縮部材」等は，使い捨ておむつの製造ラインにおいて切断加工されることにより，後に，使い捨ておむつの「脚周り伸縮部材」等となる部材を意味する。
【００６１】
図９は，本発明に係る使い捨ておむつの製造工程を示した概念図である。図９では，矢印Ａで示された方向が，おむつ製造工程の流れ方向となっている。
本発明の製造方法では，まず，図示しない原反ロールから原アウターシート１１３が繰り出されて，おむつの製造ラインに導入される（ステップＳ１）。原アウターシート１１３は，製造工程の流れ方向に沿う方向が長手方向となり，製造工程の流れ方向に直交する方向が幅方向となっている。原アウターシート１１３は，幅方向の一端側が，製造される使い捨ておむつの前身頃側に相当し，幅方向の他端側が，製造される使い捨ておむつの後身頃側に相当する。
【００６２】
原アウターシート１１３の上（肌当接面側）には，複数の原腹周り伸縮部材１１５が，例えばホットメルト接着剤などによって固定される（ステップＳ２）。このとき，複数の原腹周り伸縮部材１１５は，原アウターシート１１３の前身頃側と後身頃側に，原アウターシート１１３の流れと一致する方向に伸長した状態で固定される。原腹周り伸縮部材１１５は，例えば，コームガンといった手法によりホットメルト接着剤が直接塗布されることが好ましい。また，原腹周り伸縮部材１１５は，後述するステップＳ６において，切断されて部分的に不連続とされる。このため，原腹周り伸縮部材１１５を接合する際には，原腹周り伸縮部材１１５を部分的に不連続とすることができるように，接合部分と非接合部分が交互に連続するように接着剤を塗布することが好ましい。
【００６３】
また，その後，原アウターシート１１３上（肌当接面側）には，複数の原脚周り伸縮部材１１１が，例えばホットメルト接着剤などによって固定される（ステップＳ３）。本実施形態において，原脚周り伸縮部材１１１には，糸状の弾性伸縮部材が用いられている。複数の原脚周り伸縮部材１１１は，前身頃側と後身頃側のそれぞれで群をなしており，前身頃側と後身頃側とで群をなす複数の原脚周り伸縮部材は，所定間隔を置いて配置されている。これにより幅のある伸縮領域が形成される。原脚周り伸縮部材１１１は，原アウターシート１１３の前身頃側と後身頃側に，蛇行するようにして，伸長した状態で固定される。特に，前身頃側の複数の原脚周り伸縮部材１１１がなす群と，後身頃側の複数の原脚周り伸縮部材１１１がなす群は，一定周期で近づき，一定周期で離れるように蛇行しており，前身頃側の複数の原脚周り伸縮部材１１１がなす群と，後身頃側の複数の原脚周り伸縮部材１１１がなす群の間が離れた箇所には，隙間が形成されている。原脚周り伸縮部材１１１は，例えば，コームガンといった手法によりホットメルト接着剤が直接塗布されることが好ましい。なお，原脚周り伸縮部材１１１は，原腹周り伸縮部材１１５と同様に，後述するステップＳ６において切断されて部分的に不連続とされるため，原脚周り伸縮部材１１１を接合する際には，接合部分と非接合部分が交互に連続するように接着剤を塗布することが好ましい。特に，原脚周り伸縮部材１１１は，前身頃側の複数の原脚周り伸縮部材１１１がなす群と，後身頃側の複数の原脚周り伸縮部材１１１がなす群が近づいた箇所において，原アウターシート１１３に対して非接合とされ，前身頃側の複数の原脚周り伸縮部材１１１がなす群と，後身頃側の複数の原脚周り伸縮部材１１１がなす群が離れた箇所において，原アウターシート１１３に対して接合されることが好ましい。
【００６４】
その後，原アウターシート１１３上（肌当接面側）には，前身頃側と後身頃側の腰周り端部の近傍の位置に，複数の原腰周り伸縮部材１１４が，シートの流れ方向に沿って伸長状態で接合される（ステップＳ４）。原腰周り伸縮部材１１４は，例えば，コームガンといった手法によりホットメルト接着剤が直接塗布されることが好ましい。
【００６５】
その後，原アウターシート１１３に固定された原腹周り伸縮部材１１５と原脚周り伸縮部材１１１の上に，図示しない原反ロールから繰り出された原インナーシート１１２が貼合される（ステップＳ５）。なお，このとき，原インナーシート１１２は，複数の腰周り伸縮部材１１４の一部又は全部と重畳して貼合されるものであってもよい。原インナーシート１１２は，例えばカーテンスプレーといった手法によりホットメルト接着剤が全面的に塗布された状態で，原アウターシート１１３の幅方向中央部を中心として接合されることが好ましい。
【００６６】
その後，原腹周り伸縮部材１１５と原脚周り伸縮部材１１１は，原アウターシート１１３と原インナーシート１１２の間に挟持された状態で，シートの流れ方向と直交する方向に切断される（ステップＳ６）。前述したように，原腹周り伸縮部材１１５と原脚周り伸縮部材１１１は，接合部分と非接合部分が交互に連続するように，原アウターシート１１３と原インナーシート１１２の間に挟持固定されているため，非接合部分を切断することで，当該非接合部分において不連続となる。
【００６７】
その後，原アウターシート１１３の上（肌当接面側）に，吸収性本体１２０を貼合する（ステップＳ７）。吸収性本体１２０は，原腹周り伸縮部材１１５と原脚周り伸縮部材１１１が不連続となった領域に貼合される。吸収性本体１２０を形成する工程の図示は省略するが，公知の工程によって形成すればよい。吸収性本体１２０は，例えばホットメルト接着剤などを用いて接合すればよい。吸収性本体１２０は，例えば，液透過性のトップシートを肌当接面側に有し，液不透過性のバックシートを肌非当接面側に有し，トップシートとバックシートの間に吸収体が配設されている。
【００６８】
その後，吸収性本体１２０が配置された間の領域において，原アウターシート１１３と原インナーシート１１２をくり抜き切断することにより，脚周り開口部１０５を形成する（ステップＳ８）。すなわち，前身頃側の複数の原脚周り伸縮部材１１１がなす群と，後身頃側の複数の原脚周り伸縮部材１１１がなす群は，一定周期で近づき，一定周期で離れるように蛇行しており，この離れた箇所において，脚周り開口部１０５を形成するための切断が行われる。このとき，前身頃側の複数の原脚周り伸縮部材１１１が形成する伸縮領域と，後身頃側の複数の原脚周り伸縮部材１１１が形成する伸縮領域とを跨ぐように，脚周り開口部１０５が形成される。これにより，吸収性本体１２０の幅方向両側に，湾曲した曲線状の左右の側縁が形成される。そして，この左右の側縁を形成するための切断を行うと同時に，伸縮領域に含まれる少なくとも１つの原脚周り伸縮部材１１１が切断される。これにより，脚周り開口部１０５を形成する切断面と，少なくとも１つの原脚周り伸縮部材１１の切断面とが，一致するようになる。以上の工程により，吸収性本体１２０を保持するための原外装体シート１１０が得られる。
【００６９】
その後，原アウターシート１１３の前身頃側の端部と後身頃側の端部とを，肌当接面側に向かって折り返す工程を行う（ステップＳ９）。例えば，原アウターシート１１３の幅方向両端側には，原アウターシート１１３の幅方向両端部分を，幅方向内方に向かって折り返すための一対のセーラーが位置している。一対のセーラーは，原アウターシート１１３の両端部分を挟み込みながら，シート両端部分を幅方向内方に案内して折り込む。これにより，原アウターシート１１３の折り返し部分に，複数の原腰周り伸縮部材１１４が挟み込まれて固定される。このとき，原アウターシート１１３の折り返し部分の接合には，ステップＳ４において原腰周り伸縮部材１１４に塗布したホットメルト接着剤を利用してもよいし，原腰周り伸縮部材１１４に対して改めてホットメルト接着剤を塗布することとしてもよい。
【００７０】
その後，原外装体シート１１０の前身頃を，股下部において折り返し，後身頃に重ね合わせる（ステップＳ１０）。
【００７１】
その後，原外装体シート１１０の前身頃と後身頃をサイドフラップに相当する位置に，シートの流れ方向と直交する方向に沿ってサイドシール部１０１ａ（１０２ａ）を形成する（ステップＳ１１）。このとき，サイドシール部１０１ａは，シートの流れ方向と直交する方向に沿って２列で形成される。サイドシール部１０１ａは，例えば，公知の熱エンボス装置や超音波エンボス装置を用いて施せばよい。
【００７２】
その後，２列で形成されたサイドシール部１０１ａの間において，原外装体シート１１０を，シートの流れ方向と直交する方向に切断する（ステップＳ１２）。これにより，シートの流れ方向に沿って隣り合った使い捨ておむつの連続体を，個別の使い捨ておむつ１００に切り離すことができる。
以上の工程により，外装体が前身頃から後身頃に掛けて一体となったタイプのパンツ型の使い捨ておむつを製造することができる。
【００７３】
以上，使い捨ておむつ製造方法について，上記した第１の実施形態に係る使い捨ておむつの製造方法を例に挙げて説明を行った。ただし，本発明の製造方法は，上記第１の実施形態に係る使い捨ておむつの製造方法に限定されず，その他第２〜第５の実施形態に係る使い捨ておむつの製造方法にも適用することができる。
【００７４】
また，本願明細書では，本発明の内容を表現するために，図面を参照しながら本発明の好ましい実施形態を中心に説明を行った。ただし，本発明は，上記実施形態に限定されるものではなく，本願明細書に記載された事項に基づいて当業者が自明な変更形態や改良形態を包含するものである。
【産業上の利用可能性】
【００７５】
本発明は，例えば高齢者向け又は乳幼児向けの使い捨ておむつ，及び使い捨ておむつの製造方法に関するものである。このため，本発明の使い捨ておむつは，介護や育児に関する産業や，使い捨ておむつの製造業などにおいて好適に利用し得る。
【符号の説明】
【００７６】
１…前身頃    １ａ…サイドシール部    １ｂ…端縁
２…後身頃    ２ａ…サイドシール部    ２ｂ…端縁
３…股下部    ３ａ…左右領域    ３ｂ…中央領域
４…左右の側縁    
５…脚周り開口部
６…腰周り開口部
１０…外装体    １１…脚周り伸縮部材    １１ａ…伸縮領域    １２…インナーシート    １３…アウターシート    １４…腰周り伸縮部材    １５…腹周り伸縮部材
２０…吸収性本体
１００…使い捨ておむつ
【図１】
2014097262.tif 000003
【図２】
2014097262.tif 000004
【図３】
2014097262.tif 000005
【図４】
2014097262.tif 000006
【図５】
2014097262.tif 000007
【図６】
2014097262.tif 000008
【図７】
2014097262.tif 000009
【図８】
2014097262.tif 000010
【図９】
2014097262.tif 000011